(57)【要約】【課題】誘引されたシロアリが水場を求めて餌場から移動しないようにしてシロアリを駆除装置内に長期間留め、毒餌剤などを充分に喫食させてシロアリ駆除効果を確実にすることである。【解決手段】貯水可能な透明な水槽型の合成樹脂製の容器１内にシロアリが侵入可能な砂などの材質からなる砂層２と礫層３からなる透水層４を設け、この透水層４が水に浸漬されかつその表面が水面ＳＷより上に露出するように容器１内に貯水し、この貯水量を維持する水補給装置５を設けたシロアリ用施水装置とする。【選択図】  図１
2004229536.tif 000002
【特許請求の範囲】
【請求項１】
貯水可能な容器内にシロアリが侵入可能な材質からなる透水層を設けると共に、この透水層の一部が水に浸漬されかつその表面が水面上に露出するように容器内に貯水し、この貯水量を維持する水補給装置を設けたシロアリ用施水装置。
【請求項２】
水補給装置が、透水層の表面から水面以深まで挿し入れた筒体と、この筒体の上端開口から注水可能な注水器からなる水補給装置である請求項１に記載のシロアリ用施水装置。
【請求項３】
水補給装置の筒体の下端開口部が水質浄化用の多孔質材で覆われている請求項２または３に記載のシロアリ用施水装置。
【請求項４】
貯水用水または注水器内の水に水溶性殺蟻剤を溶解した請求項１〜３のいずれかに記載のシロアリ用施水装置。
【請求項５】
貯水可能な容器内にシロアリが侵入可能な材質で透水層を設けると共に、この透水層の一部が水に浸漬されかつその表面が水面上に露出するように容器内に貯水し、この貯水量を維持する水補給装置を設け、シロアリの侵入可能な大きさの開口部を有する容器およびその内部に収容されたシロアリの餌材からなる誘引捕獲装置を前記透水層の表面に載置して設けたシロアリの捕獲・施水装置。
【請求項６】
水を含浸したセルロース質の帯状部品を管に挿通したものからなる誘導路を設け、この誘導路で透水層の表面と容器外部とを接続した請求項５に記載のシロアリの捕獲・施水装置。
【発明の詳細な説明】
【０００１】
【発明の属する技術分野】
この発明は、シロアリの生息状況を把握する検知装置や駆除装置に併用されるシロアリ用施水装置およびこれを用いたシロアリの捕獲・施水装置に関する。
【０００２】
【従来の技術】
従来、シロアリの生息状況を把握したり、または駆除に用いる一般的なシロアリ誘引・駆除装置として、シロアリの出入り可能な開口部を有する容器内にシロアリが喫食や接触を好むセルロース質の餌やフェロモンまたはそれらの担持物質からなる誘引剤を収容したシロアリ誘引・駆除装置が知られており、松や栂などの木材またはその削り屑もしくはセルロース質のロール紙などが餌として用いられている。
【０００３】
このような装置において容器内にシロアリ駆除用の薬剤を散布すると、この薬剤を摂餌または接触したシロアリが駆除されると共に、このようなシロアリが帰巣後に死亡することで巣内に薬剤が散布され、営巣しているシロアリの群れ全体を駆除できる可能性がある（特許文献１参照）。
【０００４】
【特許文献１】
特開平９−３１３０８４号公報（段落［００１８］）
【０００５】
【発明が解決しようとする課題】
しかし、上記した従来のシロアリ誘引・駆除装置は、誘引されたシロアリを装置内に長期間留めておくことができず、結果として駆除効果を高めることができないという問題点がある。
【０００６】
その理由を検討した結果、シロアリに餌が供給されてもその群れに必要な水を確保するために、シロアリは水場を求め、餌場より他の水場を優先する場合があった。
【０００７】
また、シロアリ類のうち、特にイエシロアリなどは、餌場以外に水場を必要とする種類のシロアリであり、多量の職蟻が顎部に水滴を貯えるように保持して運ぶ習性があって、例えば巣の大きさが４０〜５０ｃｍで営巣している場合には、約５０万匹からなるシロアリの一群が２リットル／１週間の水を必要とすることを確認している。しかしながら、従来のシロアリの誘引駆除装置では、シロアリの一群に充分に施水する機能はなかった。
【０００８】
また、シロアリの誘引駆除装置を設置してもシロアリが活発に餌を食べる時期は、春から夏までの限られた期間であるから、それ以外の時期や、年間を通じて長期間にわたってその作用を発揮させることができなかった。
【０００９】
そこで、この発明の課題は、上記した問題点を解決して、誘引されたシロアリが水場を求めて餌場から移動しないようにし、このことによりシロアリが駆除装置内に長期間留まるようにし、結果として毒餌剤などを充分に喫食するようにしてシロアリ駆除効果を確実にすることである。
【００１０】
また、この発明の他の課題としては、シロアリが水を摂取または水を巣に持ち帰るための採水行動を活発に起こす施水装置とし、シロアリの駆除または捕獲のための装置が、年間を通じまたは長期間にわたってその作用を充分に発揮できるようにすることである。
【００１１】
【課題を解決するための手段】
上記の課題を解決するために、この発明においては、貯水可能な容器内にシロアリが侵入可能な材質からなる透水層を設けると共に、この透水層の一部が水に浸漬されかつその表面が水面上に露出するように容器内に貯水し、この貯水量を維持する水補給装置を設けたシロアリ用施水装置としたのである。
【００１２】
上記したように構成されるこの発明のシロアリ用施水装置は、容器内の透水層に水が浸透しており、この透水層はシロアリがその習性にしたがって噛み砕いたり、粒子を排除したりしながら内部に侵入できる材質からなる。そのためシロアリは、透水層内に侵入してその通路を足場とし、水に漬かることなく安全に染み出している水を摂取でき、また水滴を顎に貯えて運ぶことが容易にできるので、確実に水の摂取または採水行動を起こすものになる。
【００１３】
また、透水層内の貯水量は水補給装置によって維持されるので、シロアリはいつでも水を摂取または採取することができ、年間を通して常に水を採取できる生育環境を確保するので、それだけ運動量が活発化して誘引駆除装置が、長期間にわたりその作用を発揮できるようになる。
【００１４】
また、上記した水補給装置の実施態様として、透水層の表面から水面以深まで挿し入れた筒体と、この筒体の上端開口から注水可能な注水器からなる水補給装置を採用することができる。
【００１５】
透水層の水面以深まで挿し入れられた筒体内部には、水に浸漬されている透水層の内部に外部の水面と同じ高さに水面が形成される。そのため、この筒体内部の水位を調べることによって透水層に含まれている水分量を判断でき、不足の場合は注水器で適量を注水でき、これにより過量の注水による透水層の水没を防ぐと共に、急速な水位変化によるシロアリの溺死や水分不足を抑制できる。
【００１６】
また、上記同様の問題を解決し、かつ確実に水の摂取させるという課題を解決するために、前記のシロアリ用施水装置において、水補給装置の筒体の下端開口部が水質浄化用の多孔質材で覆われているという構成を採用したのである。
【００１７】
シロアリは浄水を好み、腐敗した水などを摂取しないので、注水する水を多孔質材のろ過によって浄化することにより、容器内の水をシロアリの好む水に処理してその摂取行動を活発化させることができる。
【００１８】
また、シロアリ用施水装置に殺虫効果を持たせるために、この発明においては、貯水用水または注水器内の水に水溶性殺蟻剤を溶解した上記のシロアリ用施水装置としたのである。
【００１９】
このようにすると、シロアリは水を摂取すると同時に殺蟻剤を体内に摂取し、またシロアリは活発に餌を食べなくても水を摂取するだけで死亡し、または巣に運搬した水を他の個体が採取することにより、多くの個体または群れ全体を駆除することができる。
【００２０】
また、営巣したシロアリを駆除したり、効率よく多くの個体を捕獲するという課題を解決するために、貯水可能な容器内にシロアリが侵入可能な材質で透水層を設けると共に、この透水層の一部が水に浸漬されかつその表面が水面上に露出するように容器内に貯水し、この貯水量を維持する水補給装置を設け、前記透水層の表面にはシロアリの侵入可能な大きさの開口部を有する透明容器にシロアリの餌材を収納した誘引捕獲装置を設けたシロアリの捕獲・施水装置としたのである。
【００２１】
上記した構造の装置とすることにより、施水装置は前記同様の作用を発揮し、しかもシロアリは、水と透明容器内の餌材に同一装置内で接触するので、餌材を摂取して装置内やその付近に長期間留まり、餌材をよく喫食する。
【００２２】
また、このような作用効果をより効率よく発揮させるために、上記したシロアリの捕獲・施水装置において、水を含浸したセルロース質の帯状部品を管に挿通したものからなる誘導路を設け、この誘導路でもって透水層の表面と貯水可能な容器外部とを接続したのである。
【００２３】
このようにすると、予め発見した容器外の蟻道から、行動活発なシロアリを誘導路を介して容器内の透水層表面に導き、水を摂取させ、同一装置内で餌材を摂取させてこれに長期間留めておくことができ、結果として駆除効果を高めることができる。
【００２４】
【発明の実施の形態】
この発明の実施形態を以下に添付図面に基づいて説明する。
図１に示すように、第１実施形態のシロアリ用施水装置は、貯水可能な透明な水槽型の合成樹脂製の容器１内にシロアリが侵入可能な砂などの材質からなる砂層２と小粒の石である礫層３からなる透水層４を設け、この透水層４が水に浸漬されかつその表面が水面ＳＷより上に露出するように容器１内に貯水し、この貯水量を維持する水補給装置５を設けたシロアリ用施水装置である。
【００２５】
図１、２に示すように、透水層４は、上面開口の容器１の底部から積層され、底部には比較的粒の粗い礫層３を敷き、上部には細かい砂粒からなる砂層２を敷設している。そして、砂層２の表面から１〜２０ｃｍ程度の深さまで水没するように水位を維持するように調整して貯水する。
【００２６】
透水層４の材質は、砂礫に限定されるものではなく、人口のガラス球やビーズなどで構成することもでき、また発泡スチロールなどのようにシロアリの噛み砕くことを好む材質や、合成スポンジなどのように連通気孔を有する合成樹脂、セラミック、天然石、透水性レンガなどの多孔性材を一部に混ぜたり、または全体的に利用することも可能である。
【００２７】
次に図２に示すように、水補給装置５は、透水層４の表面から水面以深まで挿し入れられた筒体６と、これに挿し込まれて注水可能な瓶型の注水器７からなる水補給装置である。
【００２８】
水を充填した瓶型の注水器７は、細口の開口部８が水面ＳＷに上方から接するように倒立状態にして設置されており、注水器７の外周面は筒体６に気密に挿し込まれている。
【００２９】
そして、筒体６の下部は、水質浄化用の木炭や活性炭からなる多孔質材９を充填した浄化槽１０で覆われており、浄化槽１０の底面は網板１１（目合１ｍｍ以下）で形成され、透水性およびシロアリの槽内侵入防止性を確保している。
【００３０】
このように構成した水補給装置は、水位の減少によって水面ＳＷが下降して開口部８から離れると、注水器７内に開口部８から泡状の空気が侵入し、注水器７内の上部空間の気圧が増して水が流出し、水面ＳＷが開口部８に接すると水の供給が止まる機能を有するものである。
【００３１】
このような構造の水補給装置の他にも、点滴装置などの周知の手段によって、一定の速度で水滴を滴下して定速で水を補給し、その場合には容器１の側壁の所定位置に砂流出防止フィルタ付きの排水口（図示せず。）を形成しておくことにより水位を一定に保つことができる。
【００３２】
このようにして水位が略一定に保たれたシロアリ用施水装置は、透水層４の表面から侵入したシロアリＡが、孔を掘りながら内部に侵入し、水面に達したものが砂粒を足場として安全に水を摂取するか、また顎に採水をして水を得て運ぶことができる。
【００３３】
注水器７は、秋季または冬季の低温外気では、内部の水を適度に温めることができるようにベルト形の電熱器を巻いて通電しておくことが好ましい。また、注水器７ばかりでなく、容器１や透水層４もしくは装置全体を電熱器などのヒータで暖めておくことが好ましい。このようにすると、温暖な環境を好むシロアリの性質により年間を通じて効率の良いシロアリ捕獲が可能になる。
【００３４】
また、貯水用水または注水器内の水に水溶性殺蟻剤を溶解したシロアリ用施水装置とすれば、毒餌剤を配置せずともシロアリを駆除することができる。
【００３５】
次に、図３に示す第２実施形態のシロアリの捕獲・施水装置は、第１実施形態の水補給装置５を配置した透水層４を設けた容器１２として比較的大型のものを採用し、透水層の表面にシロアリの侵入可能な大きさの開口部を有する透明容器１３を載置し、この中にシロアリの餌材１４を収納したシロアリの捕獲・施水装置である。
【００３６】
透明容器１３は、側壁にシロアリの出入りが可能な開口部１５を有するものであり、一部または全体が透明であればよく、市販のプラスチックケースなどを利用することもできる。
【００３７】
また、餌材１４は、駆除または捕獲対象となるシロアリにとって嗜好性がある素材、すなわち噛みやすく、喫食性の良い餌材であることが好ましく、チップ、バルク、木皮、オガクズなどの木質片、ロール紙その他のセルロース系の素材もしくは発泡スチロールなどが挙げられ、より好ましくは営巣の素材にもなる木質片、ロール紙、発泡スチロールから選ばれるものである。
【００３８】
また、上記の餌となる材料にシロアリの誘引性物質であるカンファー、ツエン、リナロール、カジネン、テレピン油、ボルネオール、メチルアニソール、シンナミルアルコール、イソサフロールなどを含有する溶液を含ませた誘引剤を含ませても良い。
【００３９】
また、餌材に添加してもよい殺虫性の駆除剤としては、例えばフェニトロチオン、フェンチオン、クロルピリホス、クロルピリホスメチルなどの有機リン系化合物、ＢＰＭＣ、カルバリル、ＣＰＭＣ、イソプロカルブ、メソミル、ＭＰＭＣ、ＭＴＭＣなどのカーバメイト系化合物、フェノトリン、シフェノトリン、ペルメトリン、シペルメトリン、ビフェントリン、レスメトリン、トラロメトリン、デカメトリンなどのピレスロイド系化合物、ホウ酸、スルフルラミド、アバメクチン、クロルフェナピル、フィプロニルまたはニテンピラム、アセタニプリド、イミダクロプリド、チアクロプリドなどのネオニコチノイド系の化合物、クロチアニジン、チアメトキサム、ジノテフランなどのグアニジン系の化合物、ジフルベンズロン、テフルベンズロン、トリフルムロン、クロルフルアズロン、ブプロフェジン、ルフェヌロン、フェノキシカルブ、メトプレン、ピリプロキシフェン、ハイドロプレン、シロマジン、ヘキサフルムロンなどの昆虫成長阻害剤その他の殺蟻成分を塗布、含浸、添着など周知の手法で含ませて使用できる。なお、これらのシロアリ駆除用薬剤は、餌成分と混合して毒餌剤の形態に製剤されたものを使用してもよく、必要に応じて容器内に設置または散布することもできる。
【００４０】
そして、上記したシロアリの捕獲・施水装置には、水を含浸したセルロース質の帯状部品１６を金属や合成樹脂などからなる管１７に挿通したものからなる誘導路を設け、この誘導路でもって透水層４の表面と貯水可能な容器外部とを接続しておくことが誘引性を高めるために好ましい。
【００４１】
このようにすると、所要の長さに形成された帯状部品の一端を予め形成されている蟻道に接触または接近させて配置すると、装置が蟻道から離れて設置されている場合でも装置に通じる蟻道を人工的に形成することができる。
これにより、装置の周囲に徘徊するシロアリを確実に装置内に導入し、誘引されたシロアリを装置内に長期間留め、シロアリの群れ全体または多数を確実に駆除することができる。
【００４２】
【発明の効果】
この発明は、以上説明したように、容器内にシロアリが侵入可能な透水層を設けて、透水層の一部が水に浸漬されかつその表面が水面上に露出するように容器内の貯水量を維持するようにしたシロアリ用施水装置としたので、シロアリは、透水層内に侵入して確実に水の摂取または採水行動を起こし、誘引されたシロアリが水場を求めて餌場から移動しないようになり、このことによりシロアリが駆除装置内に長期間留まるようになり、結果として毒餌剤などを充分に喫食するようにしてシロアリ駆除効果を確実にできる利点がある。
【００４３】
また、年間を通して常に水を採取できる生育環境となるので、シロアリはそれだけ運動量が活発化して、誘引駆除装置が長期間にわたりその作用を発揮できるようになる。
【図面の簡単な説明】
【図１】第１実施形態の斜視図
【図２】第１実施形態の断面図
【図３】第２実施形態の断面図
【符号の説明】
１  容器
２  砂層
３  礫層
４  透水層
５  水補給装置
６  筒体
７  注水器
８  開口部
９  多孔質材
１０  浄化槽
１１  網板
１２  容器
１３  透明容器
１４  餌材
１５  開口部
１６  帯状部品
１７  管
【図１】
2004229536.tif 000003
【図２】
2004229536.tif 000004
【図３】
2004229536.tif 000005